(57)【要約】      （修正有）【課題】ＡＣ電力に対するシングルファイヤーワイヤーの動態的同位相フェッチ回路モジュールを提供する。【解決手段】電子式の切替スイッチ２によって連接されるとともに、並列に連接される二つの同期直列式の電力フェッチ回路１を有し、その一つの同期直列式の電力フェッチ回路１は、交流のプラス位相に対して電力をフェッチし、他の同期直列式の電力フェッチ回路１は、交流のマイナス位相に対して電力をフェッチし、前記同期直列式の電力フェッチ回路１は、同期整合の外部給電ユニットと、同期整合の内部給電ユニットと、同期の交流電圧制御ユニットと、ＦＥＴ駆動制御ユニットと、同期の動態負荷調整ユニットと、同期の交流電力フェッチユニットと、を有し、入力端と出力端に分けられるファイヤーワイヤーを有し、前記ファイヤーワイヤーの入力端には、同期直列式の電力フェッチ回路１における同期の交流電力フェッチユニットが接続される。【選択図】図１
0003213057.tif 000002
【実用新案登録請求の範囲】
【請求項１】
電子式の切替スイッチによって連接されるとともに、並列に連接される二つの同期直列式の電力フェッチ回路を有し、その一つの同期直列式の電力フェッチ回路は、交流のプラス位相に対して電力をフェッチし、他の同期直列式の電力フェッチ回路は、交流のマイナス位相に対して電力をフェッチし、
前記同期直列式の電力フェッチ回路は、同期整合の外部給電ユニットと、同期整合の内部給電ユニットと、同期の交流電圧制御ユニットと、ＦＥＴ駆動制御ユニットと、同期の動態負荷調整ユニットと、同期の交流電力フェッチユニットと、を有し、
入力端と出力端に分けられるファイヤーワイヤーを有し、前記ファイヤーワイヤーの入力端には、同期直列式の電力フェッチ回路における同期の交流電力フェッチユニットが接続され、前記ファイヤーワイヤーの出力端には、他の同期直列式の電力フェッチ回路における同期の交流電力フェッチユニットが接続され、また、前記ファイヤーワイヤーの入力端には、同期直列式の電力フェッチ回路における同期整合の外部給電ユニット、同期整合の内部給電ユニットが接続されるとともに、前記ファイヤーワイヤーの出力端には、他の同期直列式の電力フェッチ回路における同期整合の外部給電ユニット、同期整合の内部給電ユニットが接続され、且つ二つの前記同期整合の外部給電ユニットの他端が並列に接続することにより、前記ＤＣ定電圧の出力端が構成され、
これにより、双方向の動態的フルブリッジ式のフェッチを行う方式により、シングルファイヤーワイヤーの場合に、ＡＣ交流電の１周期において電力が２回にフェッチされるとともに、フェッチの幅は、負荷の増減に応じて補償電力を自動的に調整することにより、外部回路に接続する基礎給電とすることができることを特徴とする、ＡＣ電力に対するシングルファイヤーワイヤーの動態的同位相フェッチ回路モジュール。
【請求項２】
前記同期整合の外部給電ユニットは、その１辺が電源のファイヤーワイヤーに接続されるとともに、他辺にＤＣ定電圧の出力端が設けられ、前記同期整合の内部給電ユニットは、その１辺が電源のファイヤーワイヤーに接続されるとともに、他辺に前記同期の動態負荷調整ユニットと前記同期の交流電圧制御ユニットに接続される第１の分岐回路と、前記ＦＥＴ駆動制御ユニット、前記同期の交流電力フェッチユニットおよび前記同期の動態負荷調整ユニットの他辺に接続される第２の分岐回路とが設けられ、前記ＦＥＴ駆動制御ユニットは、その１辺が前記同期整合の内部給電ユニットの第２の分岐回路に接続されるとともに、前記同期の交流電力フェッチユニットにも連接されて制御し、他辺に前記同期の交流電圧制御ユニットに連接して制御され、前記同期の交流電力フェッチユニットは、前記ＦＥＴ駆動制御ユニットにより制御され、前記同期の動態負荷調整ユニットと前記同期の交流電圧制御ユニットに連接して制御する同期の電力フェッチ端が設けられ、また、前記同期の交流電力フェッチユニットの１辺がファイヤーワイヤーに接続されるとともに、他辺にほかの同期直列式の電力フェッチ回路における同期の交流電力フェッチユニットが並列に接続されることを特長とする請求項１に記載の、ＡＣ電力に対するシングルファイヤーワイヤーの動態的同位相フェッチ回路モジュール。
【請求項３】
前記電子式の切替スイッチは、ＭＣＵのマイクロプロセッサーによって制御されるリレーまたはトライアック（ＴＲＩＡＣ）から構成されるものであることを特徴とする請求項２に記載の、ＡＣ電力に対するシングルファイヤーワイヤーの動態的同位相フェッチ回路モジュール。
【請求項４】
前記ＡＣ交流電は、５０Ｈｚ又は６０Ｈｚの９０Ｖ〜２６０Ｖの場合、少なくとも３．３Ｖ／３５０ｍＡのＤＣ直流電出力を有効に提供することができることを特徴とする請求項２に記載の、ＡＣ電力に対するシングルファイヤーワイヤーの動態的同位相フェッチ回路モジュール。
【請求項５】
前記電子式の切替スイッチには、さらに前記電子式の切替スイッチの動作を制御するために感知センサーが設けられることを特徴とする請求項２に記載の、ＡＣ電力に対するシングルファイヤーワイヤーの動態的同位相フェッチ回路モジュール。
【請求項６】
前記電子式の切替スイッチには、さらにワイヤレス通信モジュールが設けられることができ、前記ワイヤレス通信モジュールは、Ｂｌｕｅ  ｔｏｏｔｈ(登録商標)ワイヤレス通信モジュール、Ｚｉｇｂｅｅワイヤレス通信モジュール、Ｚ−ｗａｖｅワイヤレス通信モジュール、ＲＦ２．４Ｇワイヤレス通信モジュール、４３３ＭＨｚワイヤレス通信モジュール及びＷｉ−Ｆｉワイヤレスネット通信モジュールの何れか一つであることを特徴とする請求項２に記載の、ＡＣ電力に対するシングルファイヤーワイヤーの動態的同位相フェッチ回路モジュール。
【考案の詳細な説明】
【技術分野】
【０００１】
本考案は、ＡＣ電力に対するシングルファイヤーワイヤーの動態的同位相フェッチ回路モジュールに関するものであり、特に双方向の動態的フルブリッジ式のフェッチを行い、シングルファイヤーワイヤーの場合に、ＡＣ交流電の１周期において電力が２回にフェッチされるとともに、フェッチの幅は、負荷の増減に応じて補償電力を自動的に調整することにより、外部回路に接続する基礎給電とすることができる。
【背景技術】
【０００２】
一般の電気製品は、工作電源として直流電が使用され、且つ日常の生活においても、切替スイッチに連接されたから、表示／アラーム装置又は他の電気設備／システムに接続される各種の感知センサーが見られている。これらの電気製品及びバッテリーを使用する感知センサーは、定期にバッテリーを交換させなければ、電力を切って使用できなくなるため、その主なデメリットである。
【０００３】
また、市電の交流５０Ｈｚ又は６０Ｈｚに対する電力フェッチを採用する方法は、様々な設計及び特許に掲示され、それは、所定の周期におけるある時間に交流電から一瞬に電流をフェッチするとともに、整合して外部回路に接続する基礎給電とすることができる。しかし、これら従来の構成は、同期作業の効果を有しなく、電力のフェッチ回路と作業方式は、まだ欠点が存在してしまうため、本考案者より台湾実用新案登録第Ｍ３８２２４７号の「直列の同期電力フェッチ装置の改良構成」と、台湾実用新案登録第Ｍ４７１０２１号の「電力フェッチ効果を有する感知式の制御スイッチ」と、台湾実用新案登録第Ｍ４７０２１２号の「ランプフラッシュ防止の照明システム及びそれを使用する定電流源負荷」とが出願され、電力のフェッチについて優れた効果が得られ、電源のファイヤーワイヤーに接続することにより同期に電力をフェッチすることができ、外部回路に接続する基礎給電として安定的に同期のＤＣ電圧の出力を提供することができる。
【０００４】
現在、グローバルにおいて照明の電力損耗は明らかに上昇していく。将来、その上昇状態がまた引き続くことになるため、知恵の照明およびモノのインターネットに対するエネルギーの節約システムを開発するのは、各国において主な経済発展の一つになり、その中、知恵の照明システムにおける知恵のスイッチでは、大事なものとする。
【考案の概要】
【考案が解決しようとする課題】
【０００５】
特には、モノのインターネット（Ｉｎｔｅｒｎｅｔ  ｏｆ  Ｔｈｉｎｇｓ）の先端装置に対する応用幅が広く、無線（ワイヤレス）の技術によってインターネットに接続することにより、知恵の家庭情報に応用することになり、例えば、家庭の安全保全や、ドアコントロールシステムや、室内のエアコントロール及び照明コントロールシステムなどがある。これらの応用には、ワイヤレスの通信システムが必要となり、その電力の供給は、もはや前記特許に使用される半周期の電力フェッチによって満足できるものではなく、しかも各種の感知センサーの組合効果、例えば、温度、湿度、気圧、電流メーター、電圧メーター、空気品質の感知などにもバッテリーが使用されているため、所定の時間後にバッテリーを交換しなければならないことに伴い、バッテリーの汚染問題が存在してしまい、経済的にもよいでは言えない。
【０００６】
上記の問題に鑑み、本考案者は、前記特許の電力フェッチでは現在のワイヤレスモジュールに供給される電力に満足できない課題を解決するために、ＡＣ電力に対するシングルファイヤーワイヤーの動態的同位相フェッチ回路モジュールが開発されて提供することを目的とする。
【課題を解決するための手段】
【０００７】
本考案の主な目的は、ＡＣ電力に対するシングルファイヤーワイヤーの動態的同位相フェッチ回路モジュールを提供することであり、電子式の切替スイッチによって連接されるとともに、並列に連接される二つの同期直列式の電力フェッチ回路を有し、その一つの同期直列式の電力フェッチ回路は、交流のプラス位相に対して電力をフェッチし、他の同期直列式の電力フェッチ回路は、交流のマイナス位相に対して電力をフェッチする。
【０００８】
前記同期直列式の電力フェッチ回路のそれぞれは、同期整合の外部給電ユニットと、同期整合の内部給電ユニットと、同期の交流電圧制御ユニットと、ＦＥＴ駆動制御ユニットと、同期の動態負荷調整ユニットと、同期の交流電力フェッチユニットと、を有する。
【０００９】
前記電子式の切替スイッチは、ＭＣＵのマイクロプロセッサーによって制御されるリレーまたはトライアック（ＴＲＩＡＣ）から構成されるものである。
【００１０】
これにより、双方向の動態的フルブリッジ式のフェッチを行う方式により、同期のスピードが速く、電力のフェッチも十分であり、しかも優れた効率を有するとともに、熱の損耗が低くことになる。シングルファイヤーワイヤーの場合に、ＡＣ交流電の１周期において電力が２回にフェッチされるとともに、フェッチの幅は、負荷の増減に応じて補償電力を自動的に調整することにより、外部回路に接続する基礎給電とすることができる。本考案の特徴は、少なくとも３．３Ｖ／３５０ｍＡのＤＣ直流電源として提供することができ、Ｗｉ−Ｆｉまたは同様に電力を損耗するほかの通信モジュールや感知センサーの使用に満足することができ、しかもバッテリーの使用がせず、バッテリーの汚染及び新たな配電を配置する必要も回避可能である。
【図面の簡単な説明】
【００１１】
【図１】本考案の等価回路のブロック図図である。
【図２Ａ】本考案に係わるプラス／マイナスの双方向のブリッジ式の電力フェッチを示す参考図である。
【図２Ｂ】本考案に係わるＡＣ電流に対して双方向のブリッジ式の電力フェッチを示す波形図である。
【図３】本考案に係わるブロック図である。
【図４】本考案に係わる回路図である。
【図５】本考案に係わる応用例を示す参考図である。
【図６Ａ】本考案に係わるシングルファイヤーワイヤーの動態増加の電力フェッチを示す波形図である。
【図６Ｂ】本考案に係わるシングルファイヤーワイヤーの動態減少の電力フェッチを示す波形図である。
【図７Ａ】本考案に係わるＬＥＤ負荷に対するシングルファイヤーワイヤーの動態増加の電力フェッチを示す波形図である。
【図７Ｂ】本考案に係わるＬＥＤ負荷に対するシングルファイヤーワイヤーの動態減少の電力フェッチを示す波形図である。
【考案を実施するための形態】
【００１２】
審査官に本考案の目的、回路構成、応用効果、技術特徴とその効果をよく理解させるために、図面と合わせて具体の実施例について、以下のように詳細に説明する。図１ないし図４に示すように、本考案に係わる「ＡＣ電力に対するシングルファイヤーワイヤーの動態的同位相フェッチ回路モジュール」は、電子式の切替スイッチ（２）によって連接されるとともに、並列に連接される二つの同期直列式の電力フェッチ回路（１）を有し、その一つの同期直列式の電力フェッチ回路（１）は、交流のプラス位相に対して電力をフェッチし、他の同期直列式の電力フェッチ回路（１）は、交流のマイナス位相に対して電力をフェッチする。
【００１３】
前記同期直列式の電力フェッチ回路（１）は、同期整合の外部給電ユニット（１１）と、同期整合の内部給電ユニット（１２）と、同期の交流電圧制御ユニット（１３）と、ＦＥＴ駆動制御ユニット（１４）と、同期の動態負荷調整ユニット（１５）と、同期の交流電力フェッチユニット（１６）と、を有する。
【００１４】
前記同期整合の外部給電ユニット（１１）は、その１辺が電源のファイヤーワイヤーに接続されるとともに、他辺にＤＣ定電圧の出力端が設けられる。
【００１５】
前記同期整合の内部給電ユニット（１２）は、その１辺が電源のファイヤーワイヤーに接続されるとともに、他辺に前記同期の動態負荷調整ユニット（１５）と前記同期の交流電圧制御ユニット（１３）に接続される第１の分岐回路と、前記ＦＥＴ駆動制御ユニット（１４）、前記同期の交流電力フェッチユニット（１６）および前記同期の動態負荷調整ユニット（１５）の他辺に接続される第２の分岐回路とが設けられる。
【００１６】
前記ＦＥＴ駆動制御ユニット（１４）は、その１辺が前記同期整合の内部給電ユニット（１２）の第２の分岐回路に接続されるとともに、前記同期の交流電力フェッチユニット（１６）にも連接されて制御し、他辺に前記同期の交流電圧制御ユニット（１３）に連接して制御される。
【００１７】
前記同期の交流電力フェッチユニット（１６）は、前記ＦＥＴ駆動制御ユニット（１４）により制御され、前記同期の動態負荷調整ユニット（１５）と前記同期の交流電圧制御ユニット（１３）に連接して制御する同期の電力フェッチ端が設けられ、また、前記同期の交流電力フェッチユニット（１６）の１辺がファイヤーワイヤーに接続されるとともに、他辺にほかの同期直列式の電力フェッチ回路（１）における同期の交流電力フェッチユニット（１６）が並列に接続される。
【００１８】
図３に示すように、具体的には、本考案が電源のファイヤーワイヤーに直接に連接することにより、周期に対して同期の電力フェッチを行い、外部回路の基礎給電として静態の低電力を提供するとともに、高効率に同期のＤＣ定電圧を出力することができる。そして、前記電源のファイヤーワイヤーは、基本的に入力端と出力端に分けられ、ファイヤーワイヤーの入力端には、同期直列式の電力フェッチ回路（１）における同期の交流電力フェッチユニット（１６）が接続され、ファイヤーワイヤーの出力端には、他の同期直列式の電力フェッチ回路（１）における同期の交流電力フェッチユニット（１６）が接続される。また、ファイヤーワイヤーの入力端には、同期直列式の電力フェッチ回路（１）における同期整合の外部給電ユニット（１１）、同期整合の内部給電ユニット（１２）が接続されるとともに、ファイヤーワイヤーの出力端には、他の同期直列式の電力フェッチ回路（１）における同期整合の外部給電ユニット（１１）、同期整合の内部給電ユニット（１２）が接続され、且つ二つの前記同期整合の外部給電ユニット（１１）の他端が並列に接続することにより、前記ＤＣ定電圧の出力端が構成される。
【００１９】
前記電子式の切替スイッチ（２）は、ＭＣＵのマイクロプロセッサー（２１）によって制御されるリレーまたはトライアック（ＴＲＩＡＣ）（２２）から構成されるものである。
【００２０】
図５に示すように、本考案の使用時、前記電子式の切替スイッチ（２）には、さらにワイヤレス通信モジュール（３）が設けられることができ、それは、例えばＢｌｕｅ  ｔｏｏｔｈ（登録商標）ワイヤレス通信モジュール、Ｚｉｇｂｅｅワイヤレス通信モジュール、Ｚ−ｗａｖｅワイヤレス通信モジュール、ＲＦ２．４Ｇワイヤレス通信モジュール、４３３ＭＨｚワイヤレス通信モジュール及びＷｉ−Ｆｉワイヤレスネット通信モジュールの何れか一つである。
【００２１】
また、本考案の使用時、各種の感知センサー（４）にも使用可能であり、前記感知センサー（４）は、ＰＩＲスイッチ式の感知センサー、スモッグの感知センサー、一酸化炭素の感知センサー、ガスの感知センサー又は窓扉侵入の感知センサーである。感知センサー（４）から伝送される感知信号に基づき、前記電子式の切替スイッチ（２）の動作を切り替えることができる。
【００２２】
これにより、シングルファイヤーワイヤーの場合に、ＡＣ交流電５０Ｈｚ又は６０Ｈｚの９０Ｖ〜２６０Ｖの１周期（１６．６ｍｓ）に電力を２回フェッチすることができ、少なくとも３．３Ｖ／３５０ｍＡのＤＣ直流電を有効に提供することができ、Ｗｉ−Ｆｉ又は同様に電力を損耗する他のワイヤレス通信モジュール（３）と感知センサー（４）の使用に満足させることができるので、他のバッテリーを使用せず、経済的には実用できるとともに、バッテリーの汚染及び新たな配電を配置する必要も回避可能である。
【００２３】
図３及び図４に示すように、本考案に係わるＡＣ電力に対するシングルファイヤーワイヤーに対して同期的に動態補償調整の原理をさらに説明する。
【００２４】
一般の場合、シングルファイヤーワイヤーに対して電力をフェッチする時に、ファイヤーワイヤーの入力端がＱ８→Ｒ２５→Ｒ１５→Ｑ４→電子式の切替スイッチ（２）を経過してシングルファイヤーワイヤーの電力フェッチ回路に完成する。ＤＣ定電圧の出力端から給電するとき、Ｄ７→Ｒ５によってプラス位相の電力フェッチ（０ｄｅｇｒｅｅ）を提供し、次にＤ１７→Ｒ４５によってマイナス位相の電力フェッチ（１８０ｄｅｇｒｅｅ）を提供することにより、「双方向のブリッジ式の電力フェッチ」を完成する。Ｄ４は、（０ｄｅｇｒｅｅ）電力フェッチ制御回路の電源を提供し、Ｄ１４は、（１８０ｄｅｇｒｅｅ）電力フェッチ制御回路の電源を提供し、Ｑ３とＱ７は、同期の効果を提供し、シングルファイヤーワイヤーのＡＣ交流電信号が０を超えるとき、Ｑ３とＱ７が夫々に０に整合し、Ｑ５とＱ９を制御してＱ４とＱ８を駆動することにより、双方向の電力フェッチ周期（５０Ｈｚ又は６０Ｈｚ）を完成する。
【００２５】
図３と図６Ａに示すように、ＤＣ定電圧の出力端における負荷が増加するとき、電力フェッチ（０ｄｅｇｒｅｅ）は、Ｒ２１→Ｄ６→Ｒ７→Ｒ８→Ｑ２→Ｒ１０→Ｒ９→Ｑ５→Ｒ６→Ｑ４を経過して電力フェッチの幅が増加され、Ｄ７→Ｒ５を介して電力をリアルタイムに増加して補償する。同時に、電力フェッチ（１８０ｄｅｇｒｅｅ）は、Ｒ３１→Ｄ１６→Ｒ１７→Ｒ１８→Ｑ６→Ｒ２０→Ｒ１９→Ｑ９→Ｒ１６→Ｑ８を経過して電力フェッチの幅が増加され、Ｄ１７→Ｒ４５を介して電力をリアルタイムに増加して補償する。
【００２６】
図３と図６Ｂに示すように、ＤＣ定電圧の出力端における負荷が減少するとき、Ｑ４とＱ８でも電力フェッチの幅をリアルタイムに減少することにより、電力フェッチの出力を安定して効率を向上させる。
【００２７】
同じように、図７Ａと図７Ｂに示すように、本考案がＬＥＤの負荷に使用されるとき、そのシングルファイヤーワイヤーにも動態的に電力フェッチの増加又は減少を行うことができ、給電を自動的に調整することができる。
【００２８】
本考案の実用上のメリットは、下記のように示される。
１．双方向のブリッジ式の電力フェッチを採用し、同期の速度が早く、電力フェッチ量が十分であり、優れた効率を有している。
２．ダイオードによってＡＣ交流電のファイヤーワイヤー端に直列に直接の接続を採用し、５０Ｈｚ又は６０ＨｚのＡＣ交流電に対して信号をフィードバックし、ＭｏｓＦＥＴ電界効果トランジスタをリアルタイムに制御することにより、ランプ制御スイッチに対して所要の電力をフェッチすることができる。また、ＭＣＵプロセッサー、ワイヤレス通信モジュール、リレー、温度／湿度メーター及び気圧メーターなどの感知センサーに電力を供給することができる。
３．模擬の零電位設計を採用し、ファイヤーワイヤーに直列して電力をフェッチすることにより、スイッチにおけるプロセッサー及びワイヤレス通信設備の所要電力を提供することができ、リアルタイムに信号のフィードバックをし、動態に電力を一瞬に補充することができるので、回路の安定性が優れている。
４．模擬の零電位回路であり、ＡＣ交流電に対して電力をフェッチするとき、交流電の０電位に対して自動的に電力をフェッチし、この際の直流電位は、アースの効果を有するため、電力フェッチ量が安定すれば、ファイヤーワイヤーに対して電力フェッチした直流電の出力も安定し、さらに、同期の動態負荷調整回路により、電力フェッチ量がＭＣＵプロセッサー、ワイヤレス通信モジュール、リレーにて損耗する総電力に従って同期に補償調整を行うことができる。
【００２９】
本考案の構成は、ＡＣ交流電に対して電力フェッチするとともに、安定的な直流の電力出力を提供することができ、バッテリーや変圧器を使用せず、メンテナンスの費用を節約することができ、省エネルギーと環境に対してやさしい効果を達成することができ、高価な電源部材を取り替えて使用することができ、ＥＭＩ電磁波の発生を低減することができ、インダクタンス負荷と接続しても安定的に動作することができるという前記特許における電力フェッチ装置と等しい効果を有している。
【００３０】
また、本考案の主な効果特徴は、双方向の電力フェッチ回路の工作効率は、５０％以上を向上することができ、低効率のランプ装置と直列する電力フェッチは、４ワットだけでよく、市販の照明設備の要求に対して満足することができ、１０ワット以上が必要とする従来の電力フェッチ装置とは、異なっている。
【００３１】
さらに、本考案は、動態の電圧安定効果と動態の電流制御効果を有するので、Ｗｉ−Ｆｉ通信モジュールの給電モードに好適である。Ｗｉ−Ｆｉ通信モジュールは、通信の状態で電力損耗が３００ｍＡ以上であり、睡眠モードで５ｍＡ以下であるため、直列の灯具の不安定現象が発生しやすいが、本考案の動態の電流制御効果によれば、このような問題を解決することができる。
【００３２】
これにより、本考案の使用時に、従来の機械式スイッチの代わりにＷｉ−Ｆｉモノのインターネットスイッチを使用する際、給電回路を得るために新たな配電回線を設置する必要がなく、一般の家庭用配電を使用するだけでよく、家庭自動化設備とモノのインターネットとを整合することができ、省エネルギーの概念を家庭や学校、又は公衆建築に導入することができる。
【００３３】
上述の説明は、本考案の好適な実施例に対する具体的な説明であるが、これらの実施例は本考案における実用新案請求の範囲を限定するものではなく、本考案の要旨に基づいてこれらの実施例の効果と等しい変形や変更して本考案を完成することができ、これらの変形や変更が本考案における実用新案請求の範囲に含まれるべきである。
【符号の説明】
【００３４】
１            同期直列式の電力フェッチ回路
１１            同期整合の外部給電ユニット
１２            同期整合の内部給電ユニット
１３            同期の交流電圧制御ユニット
１４            ＦＥＴ駆動制御ユニット
１５            同期の動態負荷調整ユニット
１６            同期の交流電力フェッチユニット
２            電子式の切替スイッチ
２１            ＭＣＵのマイクロプロセッサー
２２            トライアック
３            ワイヤレス通信モジュール
４            感知センサー
【図１】
0003213057.tif 000003
【図２Ａ】
0003213057.tif 000004
【図２Ｂ】
0003213057.tif 000005
【図３】
0003213057.tif 000006
【図４】
0003213057.tif 000007
【図５】
0003213057.tif 000008
【図６Ａ】
0003213057.tif 000009
【図６Ｂ】
0003213057.tif 000010
【図７Ａ】
0003213057.tif 000011
【図７Ｂ】
0003213057.tif 000012
【手続補正書】
【提出日】平成29年8月9日(2017.8.9)
【手続補正１】
【補正対象書類名】実用新案登録請求の範囲
【補正対象項目名】全文
【補正方法】変更
【補正の内容】
【実用新案登録請求の範囲】
【請求項１】
電子式の切替スイッチによって連接されるとともに、並列に連接される二つの同期直列式の電力フェッチ回路を有し、その一つの同期直列式の電力フェッチ回路は、交流のプラス位相に対して電力をフェッチし、他の同期直列式の電力フェッチ回路は、交流のマイナス位相に対して電力をフェッチし、
前記同期直列式の電力フェッチ回路は、同期整合の外部給電ユニットと、同期整合の内部給電ユニットと、同期の交流電圧制御ユニットと、ＦＥＴ駆動制御ユニットと、同期の動態負荷調整ユニットと、同期の交流電力フェッチユニットと、を有し、
入力端と出力端に分けられるファイヤーワイヤーを有し、前記ファイヤーワイヤーの入力端には、同期直列式の電力フェッチ回路における同期の交流電力フェッチユニットが接続され、前記ファイヤーワイヤーの出力端には、他の同期直列式の電力フェッチ回路における同期の交流電力フェッチユニットが接続され、また、前記ファイヤーワイヤーの入力端には、同期直列式の電力フェッチ回路における同期整合の外部給電ユニット、同期整合の内部給電ユニットが接続されるとともに、前記ファイヤーワイヤーの出力端には、他の同期直列式の電力フェッチ回路における同期整合の外部給電ユニット、同期整合の内部給電ユニットが接続され、且つ二つの前記同期整合の外部給電ユニットの他端が並列に接続することにより、ＤＣ定電圧の出力端が構成され、
これにより、双方向の動態的フルブリッジ式のフェッチを行う方式により、シングルファイヤーワイヤーの場合に、ＡＣ交流電圧の１周期において電力が２回にフェッチされるとともに、フェッチの幅は、負荷の増減に応じて補償電力を自動的に調整することにより、外部回路に接続する基礎給電とすることができることを特徴とする、ＡＣ電力に対するシングルファイヤーワイヤーの動態的同位相フェッチ回路モジュール。
【請求項２】
前記同期整合の外部給電ユニットは、その１辺が電源のファイヤーワイヤーに接続されるとともに、他辺にＤＣ定電圧の出力端が設けられ、前記同期整合の内部給電ユニットは、その１辺が電源のファイヤーワイヤーに接続されるとともに、他辺に前記同期の動態負荷調整ユニットと前記同期の交流電圧制御ユニットに接続される第１の分岐回路と、前記ＦＥＴ駆動制御ユニット、前記同期の交流電力フェッチユニットおよび前記同期の動態負荷調整ユニットの他辺に接続される第２の分岐回路とが設けられ、前記ＦＥＴ駆動制御ユニットは、その１辺が前記同期整合の内部給電ユニットの第２の分岐回路に接続されるとともに、前記同期の交流電力フェッチユニットにも連接されて制御し、他辺に前記同期の交流電圧制御ユニットに連接して制御され、前記同期の交流電力フェッチユニットは、前記ＦＥＴ駆動制御ユニットにより制御され、前記同期の動態負荷調整ユニットと前記同期の交流電圧制御ユニットに連接して制御する同期の電力フェッチ端が設けられ、また、前記同期の交流電力フェッチユニットの１辺がファイヤーワイヤーに接続されるとともに、他辺にほかの同期直列式の電力フェッチ回路における同期の交流電力フェッチユニットが並列に接続されることを特長とする請求項１に記載の、ＡＣ電力に対するシングルファイヤーワイヤーの動態的同位相フェッチ回路モジュール。
【請求項３】
前記電子式の切替スイッチは、ＭＣＵのマイクロプロセッサーによって制御されるリレーまたはトライアック（ＴＲＩＡＣ）から構成されるものであることを特徴とする請求項２に記載の、ＡＣ電力に対するシングルファイヤーワイヤーの動態的同位相フェッチ回路モジュール。
【請求項４】
前記ＡＣ交流電力は、５０Ｈｚ又は６０Ｈｚの９０Ｖ〜２６０Ｖの場合、少なくとも３．３Ｖ／３５０ｍＡのＤＣ直流電力出力を有効に提供することができることを特徴とする請求項２に記載の、ＡＣ電力に対するシングルファイヤーワイヤーの動態的同位相フェッチ回路モジュール。
【請求項５】
前記電子式の切替スイッチには、さらに前記電子式の切替スイッチの動作を制御するために感知センサーが設けられることを特徴とする請求項２に記載の、ＡＣ電力に対するシングルファイヤーワイヤーの動態的同位相フェッチ回路モジュール。
【請求項６】
前記電子式の切替スイッチには、さらにワイヤレス通信モジュールが設けられることができ、前記ワイヤレス通信モジュールは、Ｂｌｕｅ  ｔｏｏｔｈ(登録商標)ワイヤレス通信モジュール、Ｚｉｇｂｅｅ（登録商標）ワイヤレス通信モジュール、Ｚ−ｗａｖｅワイヤレス通信モジュール、ＲＦ２．４Ｇワイヤレス通信モジュール、４３３ＭＨｚワイヤレス通信モジュール及びＷｉ−Ｆｉワイヤレスネット通信モジュールの何れか一つであることを特徴とする請求項２に記載の、ＡＣ電力に対するシングルファイヤーワイヤーの動態的同位相フェッチ回路モジュール。